(57)【要約】      （修正有）【課題】枕本体に通音孔を設けた難聴者用枕を提供する。【解決手段】本考案は、難聴者用の枕であり、枕本体に縦に貫通孔と横からの通気孔を設けて連通させることによって、枕に当っている耳であっても少しでも外からの音を伝えて目覚めや気付くことを速めて安全を図る。枕本体Ａに通気孔を設けることによって通音孔の機能を保持するものであって、この通音孔は枕本体Ａに対して上面から底面までの縦の貫通穴（１）と、この貫通孔（１）に対して横からの通気孔（２）を設けることによって、頭の下側の枕によって潰されている片方の耳を開放して音を聞きやすく、目覚めを促す。【選択図】図１
0003129098.tif 000002
【実用新案登録請求の範囲】
【請求項１】
枕本体Ａの中心位置よりやや片側寄りの位置に枕上面（３）より底面（４）にかけて貫通孔（１）を設け、該貫通孔（１）の中間部から側面（５）に向けて通風孔（２）を設けたことを特徴とした難聴者用枕。
【請求項２】
枕本体Ａを上枕Ａ１、中枕Ａ２、下枕Ａ３と３層に分割して形成し、上枕Ａ１、中枕Ａ２、下枕Ａ３より成る枕本体Ａの中心位置よりやや片側寄りの位置に上面（３）から底面（４）にかけて貫通孔（１）を設け、中枕Ａ２の貫通孔（１）から側面（５）にかけて切除部（２）を形成し、上枕Ａ１、中枕Ａ２、下枕Ａ３を重ねて枕本体Ａを形成した難聴者用枕。
【考案の詳細な説明】
【技術分野】
【０００１】
本考案は枕本体に通音孔を設けた難聴者用枕に関する。
【背景技術】
【０００２】
就寝時の姿勢にあって仰向けに寝ている場合には、特に問題はないが、人は夜中に何回も寝返りをうつといわれている。又人によっては左向の姿勢あるいは右向の姿勢で寝る習慣のある人が多い。この際には片方の耳が枕によって潰されて就寝中に声をかけて起されても聞きとれない傾向にあり、万一の場合には事故につながることとなる。特に片方の耳が難聴の場合には特に心配である。
【特許文献１】特開２００４−１８１０４２号公報
【考案の開示】
【考案が解決しようとする課題】
【０００３】
難聴者は片耳が不自由な人や両耳が同じように難聴の人又その度合も様々いるが、総じて就寝中に頭を左右どちらかに向けて寝た場合、片方の耳が枕で潰れて外方からの音が聞え難く目が覚めない。又は目覚めが遅れるという状況になって事故に当面することが考えられ心配が生じる。
【課題を解決するための手段】
【０００４】
考案者は、このような点について鋭意試作研究を続けた結果本考案に到達したものであって、本考案は、枕本体Ａに通気孔を設けることによって通音孔の機能を保持するものであって、この通音孔は枕本体Ａに対して上面から底面までの縦の貫通穴（１）と、この貫通孔（１）に対して横からの通気孔（２）を設けることによって、頭の下側の枕によって
潰されている片方の耳を開放して音を聞きやすく、目覚めを促すことができる。
【０００５】
この縦の貫通孔（１）の位置は図示のように枕Ａの中心（図中の×印）よりやや片側に寄った位置に設けること、また横向きの通気孔（２）は、貫通孔（１）の中間位置に、貫通孔（１）の片寄っている枕の側面（５）に向けて連通して設けるものとする。
【０００６】
この縦の貫通孔（１）、横の通気孔（２）は枕Ａの向を変えること、又は枕Ａを裏返しにすることによって右向きや左向きとくせのある難聴者誰にでも適用できる。
【０００７】
さらに本考案の枕Ａは三層構成によって形成することよって通音孔を特に頭の重さにより潰すことなく形成することが可能となる。これは請求項２で示すように、枕本体Ａを上枕Ａ１、中枕Ａ２、下枕Ａ３と三層の枕とし、上枕Ａ１と下枕Ａ３には普通の枕芯、例えば、そば殻やパンヤ線、プラスチックビーズ等を使用し、中枕に比較的硬い芯材として硬質の発泡材を用いて横孔としての通風孔（２）を設け、上枕、中枕、下枕と三重に構成することによって本考案の難聴者用枕を提供することができる。
【考案の効果】
【０００８】
上述のように本考案の枕Ａは、通音孔としての孔を貫通孔（１）、通風孔（２）を連通して設けることによって、体質の異なるいかなる難聴者に対しても就寝中に音の伝達がよく、目覚めを促すことができるため、万一のときにも不安なく使用できるため難聴者にとって副音的得難い使用上の効果を奏する。
【考案を実施するための最良の形態】
【０００９】
添付図面により本考案を実施するための最良の形態を説明すると、図において図１及び図２は請求項１に対して図面であり、図１は平面図であって、Ａは枕本体を示す。この枕体Ａは一般的に見られる形状の枕であり、芯材としてはやや硬性のスポンジ又は少し硬い発泡スチロール系が適しており、枕の中央部（×印）からやや片寄りの位置に上面（３）から底面（４）にかけて貫通孔（１）を設け、この貫通孔（１）から横方向に通気孔（２）を設けて通音孔として設ける。図２は図１のａ−ａ断面図である。
【００１０】
図３乃至図６は請求項２に対しての実施例図であって、この枕Ａは上枕Ａ１、中枕Ａ２、下枕Ａ３と三層の枕体によって形成されている。そしてこの三枚の枕の上枕Ａ１の上面（３）から下枕Ａ３の下底（４）にかけて貫通孔（１）を形成する。そして中枕Ａ２には、図４に示されるように貫通孔（１）から横の面に向けて切除部（２）を形成する。そしてこの枕Ａ２を挟んで枕Ａ１、Ａ２、Ａ３を重ねて枕本体Ａを形成する。
【実施例】
【００１１】
添付図面により本考案の実施例を説明すると、図１および図２は請求項１に対しての実施例であり、図１は枕本体Ａの平面図、図２は図１のａ−ａ断面図を示している。図において（１）は枕Ａの上面（３）から底面（４）に設けた貫通孔であって、頭を横に向けて寝ている場合に下側となる耳の位置が枕表面の中心（×印）から少しずれることが普通であるため少し側方にずらして形成する。そしてこの貫通孔（１）から横方向に通風孔（２）を側面に穿つ。これによって貫通孔（１）と通風孔（２）は連通孔となって外気に通じている。この枕Ａの芯材は孔（１），（２）を形成するため例えば硬質の発泡ウレタンや発泡スチロールのような材質が通音孔が変形しないので十分通音が得られる。
【００１２】
図３乃至図６は請求項２の実施例図であって、この枕本体Ａは上枕Ａ１、上枕Ａ２、下枕Ａ３によって形成されている。この３層の枕Ａは重ねて同位置に上面から底面にかけて貫通孔（１）を設けるもので、図３，図５に示すようにＡ１，Ａ３の上枕・下枕は貫通孔（１）が１個の枕体となっている。
【００１３】
図４は中枕Ａ２の平面図であって、貫通孔（１）に対して、枕の側面に向けて直線状の切除部（２）を形成する。この切除部（２）は組合せて枕本体Ａとした場合の横からの通気孔となるため同一の符号を用いている。
【００１４】
この３層構成の枕Ａは、上枕Ａ１、下枕Ａ３には芯材として例えば、そば殻やパンヤ綿・プラスチックビーズ等任意の芯材の使用が可能であるが、中枕Ａ２は硬質の発泡ウレタンや発泡スチロールのように硬質の芯材が適している。したがって上枕Ａ１、下枕Ａ３に好みの芯材を使用したときは裏返しができて好みの感触で寝ることができるばかりか、中間層となる枕Ａ２の通気孔（２）が潰れることなく形成されているため通音性がよく、難聴者に安眠できる枕として使用される。図示していないが、請求項１の枕Ａも請求項２の枕Ａにあっても枕カバーを用いることは同様である。
【産業上の利用可能性】
【００１５】
一般に高齢になると耳が遠くなる傾向になるといわれ、又若年者であっても何らかの原因で難聴になるが、この人達は就寝の際に枕によって片方の耳が塞がり、音の伝達を半減しているため目覚め等に不安を抱いているのが現状であるが、本考案の枕Ａは通音孔が設けられていて、しかも寝心地が良いためこの枕Ａの利用・普及は大いに期待できる。
【図面の簡単な説明】
【００１６】
【図１】請求項１の枕の平面図
【図２】図１のａ−ａ断面図
【図３】上枕Ａ１の平面図
【図４】中枕Ａ２の平面図
【図５】下枕Ａ３の平面図
【図６】三者を一体とした枕Ａの断面図
【符号の説明】
【００１７】
１  貫通孔
２  通気孔
３  枕上面
４  枕底面
５  枕側面
Ａ  枕本体
Ａ１  上枕
Ａ２  中枕
Ａ３  下枕
【図１】
0003129098.tif 000003
【図２】
0003129098.tif 000004
【図３】
0003129098.tif 000005
【図４】
0003129098.tif 000006
【図５】
0003129098.tif 000007
【図６】
0003129098.tif 000008
【手続補正書】
【提出日】平成18年5月24日(2006.5.24)
【手続補正１】
【補正対象書類名】明細書
【補正対象項目名】０００７
【補正方法】変更
【補正の内容】
【０００７】
さらに本考案の枕Ａは三層構成によって形成することによって通音孔を特に頭の重さにより潰すことなく形成することが可能となる。これは請求項２で示すように、枕本体Ａを上枕Ａ１、中枕Ａ２、下枕Ａ３と三層の枕とし、上枕Ａ１と下枕Ａ３には普通の枕芯、例えば、そば殻やパンヤ綿、プラスチックビーズ等を使用し、中枕に比較的硬い芯材として硬質の発泡材を用いて横孔としての通風孔（２）を設け、上枕、中枕、下枕と三重に構成することによって本考案の難聴者用枕を提供することができる。
【手続補正２】
【補正対象書類名】図面
【補正対象項目名】図１
【補正方法】変更
【補正の内容】
【図１】
0003129098.tif 000009
【手続補正３】
【補正対象書類名】図面
【補正対象項目名】図３
【補正方法】変更
【補正の内容】
【図３】
0003129098.tif 000010